【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
複数の設定をユーザの指示に基づいて行うための設定画面を表示するように制御する制御手段を備える印刷装置であって、
前記複数の設定は、
第１のソフトウェアからＩＰＰ（Ｉｎｔｅｒｎｅｔ  Ｐｒｉｎｔｉｎｇ  Ｐｒｏｔｏｃｏｌ）を用いて送信されたデータに基づく印刷を実行するか否かを設定するための第１の設定と、
前記第１のソフトウェアと異なる第２のソフトウェアからＩＰＰを用いて送信されたデータに基づく印刷を実行するか否かを設定するための第２の設定と、
ＩＰＰを用いた印刷を実行するか否かを設定するための第３の設定と、
を含み、
前記第１の設定が前記第１のソフトウェアから送信されたデータに基づく印刷を実行しない設定で、且つ、前記第３の設定が前記ＩＰＰを用いた印刷を実行しない設定である状態の前記設定画面において、前記ユーザの指示により前記第１の設定が前記第１のソフトウェアから送信されたデータに基づく印刷を実行する設定に変更されたならば、自動的に、前記第３の設定が前記ＩＰＰを用いた印刷を実行する設定に変更され、
前記第２の設定が前記第２のソフトウェアから送信されたデータに基づく印刷を実行しない設定で、且つ、前記第３の設定が前記ＩＰＰを用いた印刷を実行しない設定である状態の前記設定画面において、前記ユーザの指示により前記第２の設定が前記第２のソフトウェアから送信されたデータに基づく印刷を実行する設定に変更されたならば、自動的に、前記第３の設定が前記ＩＰＰを用いた印刷を実行する設定に変更され、
前記第１のソフトウェアが送信するＨＴＴＰリクエストに含まれる情報は、前記第２のソフトウェアが送信するＨＴＴＰリクエストに含まれる情報と異なる、
ことを特徴とする印刷装置。
【請求項２】
前記第１の設定が前記第１のソフトウェアから送信されたデータに基づく印刷を実行する設定で、且つ、前記第３の設定が前記ＩＰＰを用いた印刷を実行する設定である状態の前記設定画面において、前記ユーザの指示により前記第１の設定が前記第１のソフトウェアから送信されたデータに基づく印刷を実行しない設定に変更されたとしても、前記第３の設定は前記ＩＰＰを用いた印刷を実行する設定のまま維持され、また、
前記第２の設定が前記第２のソフトウェアから送信されたデータに基づく印刷を実行する設定で、且つ、前記第３の設定が前記ＩＰＰを用いた印刷を実行する設定である状態の前記設定画面において、前記ユーザの指示により前記第２の設定が前記第２のソフトウェアから送信されたデータに基づく印刷を実行しない設定に変更されたとしても、前記第３の設定は前記ＩＰＰを用いた印刷を実行する設定のまま維持される、
ことを特徴とする請求項１に記載の印刷装置。
【請求項３】
前記複数の設定は、ｍＤＮＳ（ＭｕｌｔｉｃａｓｔＤＮＳ）に基づく通信を実行するか否かを設定するための第４の設定を、さらに含み、
前記第１の設定が前記第１のソフトウェアから送信されたデータに基づく印刷を実行しない設定で、且つ、前記第４の設定が前記ｍＤＮＳに基づく通信を実行しない設定である状態の前記設定画面において、前記ユーザの指示により前記第１の設定が前記第１のソフトウェアから送信されたデータに基づく印刷を実行する設定に変更されたならば、自動的に、前記第４の設定が前記ｍＤＮＳに基づく通信を実行する設定に変更され、
前記第２の設定が前記第２のソフトウェアから送信されたデータに基づく印刷を実行しない設定で、且つ、前記第４の設定が前記ｍＤＮＳに基づく通信を実行しない設定である状態の前記設定画面において、前記ユーザの指示により前記第２の設定が前記第２のソフトウェアから送信されたデータに基づく印刷を実行する設定に変更されたならば、自動的に、前記第４の設定が前記ｍＤＮＳに基づく通信を実行する設定に変更される、
ことを特徴とする請求項１または２に記載の印刷装置。
【請求項４】
前記第１の設定が前記第１のソフトウェアから送信されたデータに基づく印刷を実行する設定で、且つ、前記第４の設定が前記ｍＤＮＳに基づく通信を実行する設定である状態の前記設定画面において、前記ユーザの指示により前記第１の設定が前記第１のソフトウェアから送信されたデータに基づく印刷を実行しない設定に変更されたとしても、前記第４の設定は前記ｍＤＮＳに基づく通信を実行する設定のまま維持され、また、
前記第２の設定が前記第２のソフトウェアから送信されたデータに基づく印刷を実行する設定で、且つ、前記第４の設定が前記ｍＤＮＳに基づく通信を実行する設定である状態の前記設定画面において、前記ユーザの指示により前記第２の設定が前記第２のソフトウェアから送信されたデータに基づく印刷を実行しない設定に変更されたとしても、前記第４の設定は前記ｍＤＮＳに基づく通信を実行する設定のまま維持される、
ことを特徴とする請求項３に記載の印刷装置。
【請求項５】
前記複数の設定は、ＨＴＴＰに基づく通信を実行するか否かを設定するための第５の設定を、さらに含み、
前記第１の設定が前記第１のソフトウェアから送信されたデータに基づく印刷を実行しない設定で、且つ、前記第５の設定が前記ＨＴＴＰに基づく通信を実行しない設定である状態の前記設定画面において、前記ユーザの指示により前記第１の設定が前記第１のソフトウェアから送信されたデータに基づく印刷を実行する設定に変更されたならば、自動的に、前記第５の設定が前記ＨＴＴＰに基づく通信を実行する設定に変更され、
前記第２の設定が前記第２のソフトウェアから送信されたデータに基づく印刷を実行しない設定で、且つ、前記第５の設定が前記ＨＴＴＰに基づく通信を実行しない設定である状態の前記設定画面において、前記ユーザの指示により前記第２の設定が前記第２のソフトウェアから送信されたデータに基づく印刷を実行する設定に変更されたならば、自動的に、前記第５の設定が前記ＨＴＴＰに基づく通信を実行する設定に変更される、
ことを特徴とする請求項１乃至４のいずれか１項に記載の印刷装置。
【請求項６】
前記第１の設定が前記第１のソフトウェアから送信されたデータに基づく印刷を実行する設定で、且つ、前記第５の設定が前記ＨＴＴＰに基づく通信を実行する設定である状態の前記設定画面において、前記ユーザの指示により前記第１の設定が前記第１のソフトウェアから送信されたデータに基づく印刷を実行しない設定に変更されたとしても、前記第５の設定は前記ＨＴＴＰに基づく通信を実行する設定のまま維持され、また、
前記第２の設定が前記第２のソフトウェアから送信されたデータに基づく印刷を実行する設定で、且つ、前記第５の設定が前記ＨＴＴＰに基づく通信を実行する設定である状態の前記設定画面において、前記ユーザの指示により前記第２の設定が前記第２のソフトウェアから送信されたデータに基づく印刷を実行しない設定に変更されたとしても、前記第５の設定は前記ＨＴＴＰに基づく通信を実行する設定のまま維持される、
ことを特徴とする請求項５に記載の印刷装置。
【請求項７】
複数の設定をユーザの指示に基づいて行うための設定画面を表示するように制御する制御手段を備える印刷装置であって、
前記複数の設定は、
第１のソフトウェアからＩＰＰ（Ｉｎｔｅｒｎｅｔ  Ｐｒｉｎｔｉｎｇ  Ｐｒｏｔｏｃｏｌ）を用いて送信されたデータに基づく印刷を実行するか否かを設定するための第１の設定と、
前記第１のソフトウェアと異なる第２のソフトウェアからＩＰＰを用いて送信されたデータに基づく印刷を実行するか否かを設定するための第２の設定と、
ｍＤＮＳ（ＭｕｌｔｉｃａｓｔＤＮＳ）に基づく通信を実行するか否かを設定するための第３の設定と、
を含み、
前記第１の設定が前記第１のソフトウェアから送信されたデータに基づく印刷を実行しない設定で、且つ、前記第３の設定が前記ｍＤＮＳに基づく通信を実行しない設定である状態の前記設定画面において、前記ユーザの指示により前記第１の設定が前記第１のソフトウェアから送信されたデータに基づく印刷を実行する設定に変更されたならば、自動的に、前記第３の設定が前記ｍＤＮＳに基づく通信を実行する設定に変更され、
前記第２の設定が前記第２のソフトウェアから送信されたデータに基づく印刷を実行しない設定で、且つ、前記第３の設定が前記ｍＤＮＳに基づく通信を実行しない設定である状態の前記設定画面において、前記ユーザの指示により前記第２の設定が前記第２のソフトウェアから送信されたデータに基づく印刷を実行する設定に変更されたならば、自動的に、前記第３の設定が前記ｍＤＮＳに基づく通信を実行する設定に変更され、
前記第１のソフトウェアが送信するＨＴＴＰリクエストに含まれる情報は、前記第２のソフトウェアが送信するＨＴＴＰリクエストに含まれる情報と異なる、
ことを特徴とする印刷装置。
【請求項８】
前記第１のソフトウェアが送信するＨＴＴＰリクエストに含まれる情報と前記第２のソフトウェアが送信するＨＴＴＰリクエストに含まれる情報は、当該ＨＴＴＰリクエストの送信元のソフトウェアを区別可能な情報が少なくとも異なる、ことを特徴とする請求項１乃至７のいずれか１項に記載の印刷装置。
【請求項９】
印刷装置に関する複数の設定をユーザの指示に基づいて行うための設定画面を表示するように制御する設定方法であって、
前記複数の設定は、
第１のソフトウェアからＩＰＰ（Ｉｎｔｅｒｎｅｔ  Ｐｒｉｎｔｉｎｇ  Ｐｒｏｔｏｃｏｌ）を用いて送信されたデータに基づく印刷を実行するか否かを設定するための第１の設定と、
前記第１のソフトウェアと異なる第２のソフトウェアからＩＰＰを用いて送信されたデータに基づく印刷を実行するか否かを設定するための第２の設定と、
ＩＰＰを用いた印刷を実行するか否かを設定するための第３の設定と、
を含み、
前記第１の設定が前記第１のソフトウェアから送信されたデータに基づく印刷を実行しない設定で、且つ、前記第３の設定が前記ＩＰＰを用いた印刷を実行しない設定である状態の前記設定画面において、前記ユーザの指示により前記第１の設定が前記第１のソフトウェアから送信されたデータに基づく印刷を実行する設定に変更されたならば、自動的に、前記第３の設定が前記ＩＰＰを用いた印刷を実行する設定に変更され、
前記第２の設定が前記第２のソフトウェアから送信されたデータに基づく印刷を実行しない設定で、且つ、前記第３の設定が前記ＩＰＰを用いた印刷を実行しない設定である状態の前記設定画面において、前記ユーザの指示により前記第２の設定が前記第２のソフトウェアから送信されたデータに基づく印刷を実行する設定に変更されたならば、自動的に、前記第３の設定が前記ＩＰＰを用いた印刷を実行する設定に変更され、
前記第１のソフトウェアが送信するＨＴＴＰリクエストに含まれる情報は、前記第２のソフトウェアが送信するＨＴＴＰリクエストに含まれる情報と異なる、ことを特徴とする設定方法。
【請求項１０】
前記第１の設定が前記第１のソフトウェアから送信されたデータに基づく印刷を実行する設定で、且つ、前記第３の設定が前記ＩＰＰを用いた印刷を実行する設定である状態の前記設定画面において、前記ユーザの指示により前記第１の設定が前記第１のソフトウェアから送信されたデータに基づく印刷を実行しない設定に変更されたとしても、前記第３の設定は前記ＩＰＰを用いた印刷を実行する設定のまま維持され、また、
前記第２の設定が前記第２のソフトウェアから送信されたデータに基づく印刷を実行する設定で、且つ、前記第３の設定が前記ＩＰＰを用いた印刷を実行する設定である状態の前記設定画面において、前記ユーザの指示により前記第２の設定が前記第２のソフトウェアから送信されたデータに基づく印刷を実行しない設定に変更されたとしても、前記第３の設定は前記ＩＰＰを用いた印刷を実行する設定のまま維持される、
ように制御することを特徴とする請求項９に記載の設定方法。
【請求項１１】
前記複数の設定は、ｍＤＮＳ（ＭｕｌｔｉｃａｓｔＤＮＳ）に基づく通信を実行するか否かを設定するための第４の設定を、さらに含み、
前記第１の設定が前記第１のソフトウェアから送信されたデータに基づく印刷を実行しない設定で、且つ、前記第４の設定が前記ｍＤＮＳに基づく通信を実行しない設定である状態の前記設定画面において、前記ユーザの指示により前記第１の設定が前記第１のソフトウェアから送信されたデータに基づく印刷を実行する設定に変更されたならば、自動的に、前記第４の設定が前記ｍＤＮＳに基づく通信を実行する設定に変更され、
前記第２の設定が前記第２のソフトウェアから送信されたデータに基づく印刷を実行しない設定で、且つ、前記第４の設定が前記ｍＤＮＳに基づく通信を実行しない設定である状態の前記設定画面において、前記ユーザの指示により前記第２の設定が前記第２のソフトウェアから送信されたデータに基づく印刷を実行する設定に変更されたならば、自動的に、前記第４の設定が前記ｍＤＮＳに基づく通信を実行する設定に変更される、
ことを特徴とする請求項９または１０に記載の設定方法。
【請求項１２】
前記第１の設定が前記第１のソフトウェアから送信されたデータに基づく印刷を実行する設定で、且つ、前記第４の設定が前記ｍＤＮＳに基づく通信を実行する設定である状態の前記設定画面において、前記ユーザの指示により前記第１の設定が前記第１のソフトウェアから送信されたデータに基づく印刷を実行しない設定に変更されたとしても、前記第４の設定は前記ｍＤＮＳに基づく通信を実行する設定のまま維持され、また、
前記第２の設定が前記第２のソフトウェアから送信されたデータに基づく印刷を実行する設定で、且つ、前記第４の設定が前記ｍＤＮＳに基づく通信を実行する設定である状態の前記設定画面において、前記ユーザの指示により前記第２の設定が前記第２のソフトウェアから送信されたデータに基づく印刷を実行しない設定に変更されたとしても、前記第４の設定は前記ｍＤＮＳに基づく通信を実行する設定のまま維持される、
ことを特徴とする請求項１１に記載の設定方法。
【請求項１３】
前記複数の設定は、ＨＴＴＰに基づく通信を実行するか否かを設定するための第５の設定を、さらに含み、
前記第１の設定が前記第１のソフトウェアから送信されたデータに基づく印刷を実行しない設定で、且つ、前記第５の設定が前記ＨＴＴＰに基づく通信を実行しない設定である状態の前記設定画面において、前記ユーザの指示により前記第１の設定が前記第１のソフトウェアから送信されたデータに基づく印刷を実行する設定に変更されたならば、自動的に、前記第５の設定が前記ＨＴＴＰに基づく通信を実行する設定に変更され、
前記第２の設定が前記第２のソフトウェアから送信されたデータに基づく印刷を実行しない設定で、且つ、前記第５の設定が前記ＨＴＴＰに基づく通信を実行しない設定である状態の前記設定画面において、前記ユーザの指示により前記第２の設定が前記第２のソフトウェアから送信されたデータに基づく印刷を実行する設定に変更されたならば、自動的に、前記第５の設定が前記ＨＴＴＰに基づく通信を実行する設定に変更される、
ことを特徴とする請求項９乃至１２のいずれか１項に記載の設定方法。
【請求項１４】
前記第１の設定が前記第１のソフトウェアから送信されたデータに基づく印刷を実行する設定で、且つ、前記第５の設定が前記ＨＴＴＰに基づく通信を実行する設定である状態の前記設定画面において、前記ユーザの指示により前記第１の設定が前記第１のソフトウェアから送信されたデータに基づく印刷を実行しない設定に変更されたとしても、前記第５の設定は前記ＨＴＴＰに基づく通信を実行する設定のまま維持され、また、
前記第２の設定が前記第２のソフトウェアから送信されたデータに基づく印刷を実行する設定で、且つ、前記第５の設定が前記ＨＴＴＰに基づく通信を実行する設定である状態の前記設定画面において、前記ユーザの指示により前記第２の設定が前記第２のソフトウェアから送信されたデータに基づく印刷を実行しない設定に変更されたとしても、前記第５の設定は前記ＨＴＴＰに基づく通信を実行する設定のまま維持される、
ように制御することを特徴とする請求項１３に記載の設定方法。
【請求項１５】
印刷装置に関する複数の設定をユーザの指示に基づいて行うための設定画面を表示するように制御する設定方法であって、
前記複数の設定は、
第１のソフトウェアからＩＰＰ（Ｉｎｔｅｒｎｅｔ  Ｐｒｉｎｔｉｎｇ  Ｐｒｏｔｏｃｏｌ）を用いて送信されたデータに基づく印刷を実行するか否かを設定するための第１の設定と、
前記第１のソフトウェアと異なる第２のソフトウェアからＩＰＰを用いて送信されたデータに基づく印刷を実行するか否かを設定するための第２の設定と、
ｍＤＮＳ（ＭｕｌｔｉｃａｓｔＤＮＳ）に基づく通信を実行するか否かを設定するための第３の設定と、
を含み、
前記第１の設定が前記第１のソフトウェアから送信されたデータに基づく印刷を実行しない設定で、且つ、前記第３の設定が前記ｍＤＮＳに基づく通信を実行しない設定である状態の前記設定画面において、前記ユーザの指示により前記第１の設定が前記第１のソフトウェアから送信されたデータに基づく印刷を実行する設定に変更されたならば、自動的に、前記第３の設定が前記ｍＤＮＳに基づく通信を実行する設定に変更され、
前記第２の設定が前記第２のソフトウェアから送信されたデータに基づく印刷を実行しない設定で、且つ、前記第３の設定が前記ｍＤＮＳに基づく通信を実行しない設定である状態の前記設定画面において、前記ユーザの指示により前記第２の設定が前記第２のソフトウェアから送信されたデータに基づく印刷を実行する設定に変更されたならば、自動的に、前記第３の設定が前記ｍＤＮＳに基づく通信を実行する設定に変更され、
前記第１のソフトウェアが送信するＨＴＴＰリクエストに含まれる情報は、前記第２のソフトウェアが送信するＨＴＴＰリクエストに含まれる情報と異なる、
ことを特徴とする設定方法。
【請求項１６】
前記第１のソフトウェアが送信するＨＴＴＰリクエストに含まれる情報と前記第２のソフトウェアが送信するＨＴＴＰリクエストに含まれる情報は、当該ＨＴＴＰリクエストの送信元のソフトウェアを区別可能な情報が少なくとも異なる、ことを特徴とする請求項９乃至１５のいずれか１項に記載の設定方法。
【請求項１７】
請求項９乃至１６のいずれか１項に記載の設定方法をコンピュータに実行させるためのプログラム。
【手続補正２】
【補正対象書類名】明細書
【補正対象項目名】０００６
【補正方法】変更
【補正の内容】
【０００６】
上述した課題を解決するために、本発明が提供する印刷装置は、複数の設定をユーザの指示に基づいて行うための設定画面を表示するように制御する制御手段を備える印刷装置であって、前記複数の設定は、第１のソフトウェアからＩＰＰ（Ｉｎｔｅｒｎｅｔ  Ｐｒｉｎｔｉｎｇ  Ｐｒｏｔｏｃｏｌ）を用いて送信されたデータに基づく印刷を実行するか否かを設定するための第１の設定と、前記第１のソフトウェアと異なる第２のソフトウェアからＩＰＰを用いて送信されたデータに基づく印刷を実行するか否かを設定するための第２の設定と、ＩＰＰを用いた印刷を実行するか否かを設定するための第３の設定と、を含み、前記第１の設定が前記第１のソフトウェアから送信されたデータに基づく印刷を実行しない設定で、且つ、前記第３の設定が前記ＩＰＰを用いた印刷を実行しない設定である状態の前記設定画面において、前記ユーザの指示により前記第１の設定が前記第１のソフトウェアから送信されたデータに基づく印刷を実行する設定に変更されたならば、自動的に、前記第３の設定が前記ＩＰＰを用いた印刷を実行する設定に変更され、前記第２の設定が前記第２のソフトウェアから送信されたデータに基づく印刷を実行しない設定で、且つ、前記第３の設定が前記ＩＰＰを用いた印刷を実行しない設定である状態の前記設定画面において、前記ユーザの指示により前記第２の設定が前記第２のソフトウェアから送信されたデータに基づく印刷を実行する設定に変更されたならば、自動的に、前記第３の設定が前記ＩＰＰを用いた印刷を実行する設定に変更され、前記第１のソフトウェアが送信するＨＴＴＰリクエストに含まれる情報は、前記第２のソフトウェアが送信するＨＴＴＰリクエストに含まれる情報と異なる、ことを特徴とする。